(57)【特許請求の範囲】
【請求項１】
基礎代謝基準値、性別、年齢及び体重に基づく基礎代謝量を取得する基礎代謝量取得手段と、
体格指数を取得する体格指数取得手段と、
実際に測定した基礎代謝量と基礎代謝基準値、性別、年齢及び体重に基づく基礎代謝量との差と、体格指数との相関関係に基づいて導き出された補正関数によって、基礎代謝基準値、性別、年齢及び体重に基づく基礎代謝量を補正するための基礎代謝量補正演算式を記憶した基礎代謝量補正演算式記憶手段と、
前記基礎代謝量補正演算式記憶手段により記憶している基礎代謝量補正演算式に、前記基礎代謝量取得手段により取得した基礎代謝基準値、性別、年齢及び体重に基づく基礎代謝量及び前記体格指数取得手段により取得した体格指数を代入し、前記基礎代謝量取得手段により取得した基礎代謝基準値、性別、年齢及び体重に基づく基礎代謝量を補正する基礎代謝量補正手段と、
身体活動レベルを取得する身体活動レベル取得手段と、
前記基礎代謝量補正手段により補正した基礎代謝量と前記身体活動レベル取得手段により取得した身体活動レベルとを乗じて推定エネルギー必要量を求める推定エネルギー必要量演算手段と、
を備える推定エネルギー必要量演算装置。
【請求項２】
前記基礎代謝量補正演算式が、基礎代謝基準値、性別、年齢及び体重に基づく基礎代謝量をＢＭＲｓとし、体格指数をＢＭＩとし、定数をａ、ｂとし、補正した基礎代謝量をＢＭＲとし、ＢＭＲ＝ＢＭＲｓ＋ａ×ＢＭＩ＋ｂで表される式であることを特徴とする請求項１記載の推定エネルギー必要量演算装置。
【請求項３】
前記実際に測定した基礎代謝量と基礎代謝基準値、性別、年齢及び体重に基づく基礎代謝量との差が、（実際に測定した基礎代謝量）−（基礎代謝基準値、性別、年齢及び体重に基づく基礎代謝量）であり、前記定数ａが負値を示すことを特徴とする請求項２記載の推定エネルギー必要量演算装置。
【請求項４】
前記実際に測定した基礎代謝量と基礎代謝基準値、性別、年齢及び体重に基づく基礎代謝量との差が、（基礎代謝基準値、性別、年齢及び体重に基づく基礎代謝量）−（実際に測定した基礎代謝量）であり、前記定数ａが正値を示すことを特徴とする請求項２記載の推定エネルギー必要量演算装置。
【発明の詳細な説明】
【技術分野】
【０００１】
本発明は、基礎代謝量と身体活動レベルに基づき推定エネルギー必要量を求める推定エネルギー必要量演算装置に関する。
【背景技術】
【０００２】
非特許文献１に示されているように、従来からエネルギーの食事摂取基準には、推定エネルギー必要量（当該集団に属する人のエネルギー出納が、ゼロとなる確率が最も高くなると推定される１日当たりのエネルギー摂取量：kcal／日）が適用されている。そして、この推定エネルギー必要量は、基礎代謝基準値（kcal／kg体重／日）、性別（男性又は女性）、年齢（歳）及び体重（kg）から基礎代謝量（kcal／日）を求め、この求めた基礎代謝量に身体活動レベル（１日のエネルギー消費量を１日当たりの基礎代謝量で除した指数）を乗ずることにより求められるものである。
【非特許文献１】厚生労働省策定、「日本人の食事摂取基準（２００５年版）」、第一出版、２００５年５月３０日、ｐ.２８−３１
【発明の開示】
【発明が解決しようとする課題】
【０００３】
しかしながら、この推定エネルギー必要量が求められる過程において求める基礎代謝量は、体格によって実際の基礎代謝量と掛け離れることが本発明者によって研究・調査され、この結果、この基礎代謝量に基づいて求められる推定エネルギー必要量は、被測定者の体格によって精度低下を生ずるといった問題があることがわかった。
【０００４】
そこで、本発明は、上記のような従来の問題点を解決することを目的とするもので、簡単で正確に推定エネルギー必要量を求めることができる推定エネルギー必要量演算装置を提供することを課題とする。
【課題を解決するための手段】
【０００５】
上記の目的を達成するために、本発明の推定エネルギー必要量演算装置は、基礎代謝基準値、性別、年齢及び体重に基づく基礎代謝量を取得する基礎代謝量取得手段と、体格指数を取得する体格指数取得手段と、実際に測定した基礎代謝量と基礎代謝基準値、性別、年齢及び体重に基づく基礎代謝量との差と、体格指数との相関関係に基づいて導き出された補正関数によって、基礎代謝基準値、性別、年齢及び体重に基づく基礎代謝量を補正するための基礎代謝量補正演算式を記憶した基礎代謝量補正演算式記憶手段と、前記基礎代謝量補正演算式記憶手段により記憶している基礎代謝量補正演算式に、前記基礎代謝量取得手段により取得した基礎代謝基準値、性別、年齢及び体重に基づく基礎代謝量と前記体格指数取得手段により取得した体格指数とを代入し、前記基礎代謝量取得手段により取得した基礎代謝基準値、性別、年齢及び体重に基づく基礎代謝量を補正する基礎代謝量補正手段と、身体活動レベルを取得する身体活動レベル取得手段と、前記基礎代謝量補正手段により補正した基礎代謝量と前記身体活動レベル取得手段により取得した身体活動レベルとを乗じて推定エネルギー必要量を求める推定エネルギー必要量演算手段と、を備える。
【０００６】
また、前記基礎代謝量補正演算式が、基礎代謝基準値、性別、年齢及び体重に基づく基礎代謝量をＢＭＲｓとし、体格指数をＢＭＩとし、定数をａ、ｂとし、補正した基礎代謝量をＢＭＲとし、ＢＭＲ＝ＢＭＲｓ＋ａ×ＢＭＩ＋ｂで表される式であることを特徴とする。
【０００７】
また、前記実際に測定した基礎代謝量と基礎代謝基準値、性別、年齢及び体重に基づく基礎代謝量との差が、（実際に測定した基礎代謝量）−（基礎代謝基準値、性別、年齢及び体重に基づく基礎代謝量）であり、前記定数ａが負値を示すことを特徴とする。
【０００８】
また、前記実際に測定した基礎代謝量と基礎代謝基準値、性別、年齢及び体重に基づく基礎代謝量との差が、（基礎代謝基準値、性別、年齢及び体重に基づく基礎代謝量）−（実際に測定した基礎代謝量）であり、前記定数ａが正値を示すことを特徴とする。
【発明の効果】
【０００９】
本発明の推定エネルギー必要量演算装置は、基礎代謝量補正演算式記憶手段において、実際に測定した基礎代謝量と基礎代謝基準値、性別、年齢及び体重に基づく基礎代謝量との差と、体格指数との相関関係に基づいて導き出された補正関数によって、基礎代謝基準値、性別、年齢及び体重に基づく基礎代謝量を補正するための基礎代謝量補正演算式を記憶し、基礎代謝量補正手段において、この記憶している基礎代謝量補正演算式を用いて、基礎代謝量取得手段により取得した基礎代謝基準値、性別、年齢及び体重に基づく基礎代謝量を補正演算し、推定エネルギー必要量演算手段において、この補正演算した基礎代謝量に基づいて推定エネルギー必要量を求めることから、被測定者の体格によって精度低下を生ずることなく、簡単で正確に推定エネルギー必要量を求めることができる。
【００１０】
また、補正した基礎代謝量ＢＭＲは、基礎代謝基準値、性別、年齢及び体重に基づく基礎代謝量ＢＭＲｓを、実際に測定した基礎代謝量と基礎代謝基準値、性別、年齢及び体重に基づく基礎代謝量との差と、体格指数との相関関係に基づいて導き出された補正関数ΔＢＭＲ＝ａ×ＢＭＩ＋ｂによって補正する基礎代謝量補正演算式ＢＭＲ＝ＢＭＲｓ＋ａ×ＢＭＩ＋ｂで表されることから、体格（体重及び身長）に応じた基礎代謝量を求めることができ、もって、被測定者の体格によって精度低下を生ずることなく、簡単で正確に推定エネルギー必要量を求めることができる。
【００１１】
なお、上記補正関数が、（実際に測定した基礎代謝量）−（基礎代謝基準値、性別、年齢及び体重に基づく基礎代謝量）と体格指数との相関関係に基づいて導き出されたΔＢＭＲ＝ａ×ＢＭＩ＋ｂ（ただし、ａは負値の定数、ｂは定数）で表される場合や（基礎代謝基準値、性別、年齢及び体重に基づく基礎代謝量）−（実際に測定した基礎代謝量）と体格指数との相関関係に基づいて導き出されたΔＢＭＲ＝ａ×ＢＭＩ＋ｂ（ただし、ａは正値の定数、ｂは定数）で表される場合には、体格（体重及び身長）に応じた基礎代謝量を確実に求めることができ、もって、被測定者の体格によって精度低下を生ずることなく、簡単で正確に推定エネルギー必要量を確実に求めることができる。
【発明を実施するための最良の形態】
【００１２】
本発明の推定エネルギー必要量演算装置は、図１の機能的構成を示すブロック図に示すように、基礎代謝量取得手段１、体格指数取得手段２、基礎代謝量補正演算式記憶手段３、基礎代謝量補正手段４、身体活動レベル取得手段５及び推定エネルギー必要量演算手段６を備える。
【００１３】
基礎代謝量取得手段１は、基礎代謝基準値（kcal／kg体重／日）、性別（男性又は女性）、年齢（歳）及び体重（kg）に基づく基礎代謝量（kcal／日）を取得する。より具体的には、基礎代謝量取得手段１は、個人的情報取得手段、基礎代謝基準値選定手段及び基礎代謝量演算手段から成り、個人的情報取得手段において、性別、年齢及び体重を取得し、基礎代謝基準値選定手段において、これら取得したうちの性別及び年齢に対応する基礎代謝基準値を図６のデータから選び出し、基礎代謝量演算手段において、この選び出した基礎代謝基準値にこれら取得したうちの体重を乗じて基礎代謝基準値、性別、年齢及び体重に基づく基礎代謝量を求めるものである。
【００１４】
体格指数取得手段２は、体格指数（ＢＭＩ：Body Mass Index）を取得する。より具体的には、体格指数取得手段２は、個人的情報取得手段及び体格指数演算手段から成り、個人的情報取得手段において、身長及び体重を取得し、体格指数演算手段において、これら取得した身長及び体重を、ＢＭＩ＝体重（kg）÷身長（ｍ）÷身長（ｍ）で表される式に代入して体格指数を求めるものである。
【００１５】
基礎代謝量補正演算式記憶手段３は、実際に測定した基礎代謝量と基礎代謝基準値、性別、年齢及び体重に基づく基礎代謝量との差ΔＢＭＲと、体格指数ＢＭＩとの相関関係に基づいて導き出された補正関数ΔＢＭＲ＝ａ×ＢＭＩ＋ｂによって、基礎代謝基準値、性別、年齢及び体重に基づく基礎代謝量ＢＭＲｓを補正して、補正した基礎代謝量ＢＭＲとするための基礎代謝量補正演算式ＢＭＲ＝ＢＭＲｓ＋ａ×ＢＭＩ＋ｂ（＝ＢＭＲｓ＋ΔＢＭＲ）を記憶する。
【００１６】
なお、図５（（ａ）は男性の場合、（ｂ）は女性の場合）に示す実際に測定した基礎代謝量と基礎代謝基準値、性別、年齢及び体重に基づく基礎代謝量との差と体格指数との相関関係から、実際に測定した基礎代謝量と基礎代謝基準値、性別、年齢及び体重に基づく基礎代謝量との差が、（実際に測定した基礎代謝量）−（基礎代謝基準値、性別、年齢及び体重に基づく基礎代謝量）である場合には、補正関数ΔＢＭＲ＝ａ×ＢＭＩ＋ｂにおける定数ａは、負値を示し、また、実際に測定した基礎代謝量と基礎代謝基準値、性別、年齢及び体重に基づく基礎代謝量との差が、（基礎代謝基準値、性別、年齢及び体重に基づく基礎代謝量）−（実際に測定した基礎代謝量）である場合には、補正関数ΔＢＭＲ＝ａ×ＢＭＩ＋ｂにおける定数ａは、正値を示す。
【００１７】
基礎代謝量補正手段４は、基礎代謝量補正演算式記憶手段３により記憶している基礎代謝量補正演算式に、基礎代謝量取得手段１により取得した基礎代謝基準値、性別、年齢及び体重に基づく基礎代謝量と体格指数取得手段２により取得した体格指数とを代入し、基礎代謝量取得手段１により取得した基礎代謝基準値、性別、年齢及び体重に基づく基礎代謝量を補正する。
【００１８】
身体活動レベル取得手段５は、身体活動レベル（ＰＡＬ：Physical Activity Level、１日のエネルギー消費量を１日当たりの基礎代謝量で除した指数）を取得する。
【００１９】
推定エネルギー必要量演算手段６は、基礎代謝量補正手段４により補正した基礎代謝量と身体活動レベル取得手段５により取得した身体活動レベルとを乗じて推定エネルギー必要量（当該集団に属する人のエネルギー出納が、ゼロとなる確率が最も高くなると推定される１日当たりのエネルギー摂取量：kcal／日）を求める。
【００２０】
このように構成した推定エネルギー必要量演算装置によると、基礎代謝量補正演算式記憶手段３において、実際に測定した基礎代謝量と基礎代謝基準値、性別、年齢及び体重に基づく基礎代謝量との差と、体格指数との相関関係に基づいて導き出された補正関数によって、基礎代謝基準値、性別、年齢及び体重に基づく基礎代謝量を補正するための基礎代謝量補正演算式を記憶し、基礎代謝量補正手段４において、この記憶している基礎代謝量補正演算式に、基礎代謝量取得手段１により取得した基礎代謝基準値、性別、年齢及び体重に基づく基礎代謝量及び体格指数取得手段２により取得した体格指数を代入し、基礎代謝量取得手段１により取得した基礎代謝基準値、性別、年齢及び体重に基づく基礎代謝量を補正し、推定エネルギー必要量演算手段６において、この補正した基礎代謝量に、身体活動レベル取得手段５により取得した身体活動レベルを乗じて推定エネルギー必要量を求めることから、被測定者の体格によって精度低下を生ずることなく、簡単で正確に推定エネルギー必要量を求めることができる。
【００２１】
以下、上述した形態における実施例について具体的に説明する。
【実施例】
【００２２】
まず、図２に示す外観図、及び図３に示す構造的構成を示すブロック図を主に用いて、本発明に係わる推定エネルギー必要量演算装置の具体的な構成について説明する。
【００２３】
本発明に係わる推定エネルギー必要量演算装置は、ON/OFFスイッチ１１、電力供給回路１２、入力スイッチ１３（前後左右スイッチ１３ａ、戻るスイッチ１３ｂ、決定スイッチ１３ｃ）、重量センサ１４、荷重検出回路１５、外部記憶装置１６、表示器１７及びマイクロコンピュータ１８を外体１９（載せ皿１９ａ、外装ケース１９ｂ）に備える。
【００２４】
ON/OFFスイッチ１１は、外装ケース１９ｂの上面に有し、本装置の作動の開始や終了を行うためのものである。
【００２５】
電力供給回路１２は、外装ケース１９ｂの内部に有し、ON/OFFスイッチ１１の動作に起因して、本装置の電気系統各部に電力を供給や停止をする。
【００２６】
入力スイッチ１３は、前後左右スイッチ１３ａ、戻るスイッチ１３ｂ、決定スイッチ１３ｃから成り、個人的情報（性別、年齢、身長、体重、身体活動レベル）等を入力するためのものである。そして、前後左右スイッチ１３ａは、外装ケース１９ｂの上面に有し、表示器１７に表示される個人的情報（性別、年齢、身長、体重、身体活動レベル）等を変更するためのものであり、戻るスイッチ１３ｂは、外装ケース１９ｂの上面に有し、訂正等のため入力段階を手前に戻すためのものであり、決定スイッチ１３ｃは、外装ケース１９ｂの上面に有し、表示器１７に表示される個人的情報等を確定するためのものである。
【００２７】
重量センサ１４は、外体１９の内部に有し、載せ皿１９ａに対象物（重量物）を載せた際に生ずる電圧を検出する。荷重検出回路１５は、外装ケース１９ｂの内部に有し、検出した電圧を増幅し、デジタル変換する。
【００２８】
外部記憶装置１６は、外装ケース１９ｂの内部に有し、決定スイッチ１３ｃにより確定した個人的情報等のデータを記憶する。
【００２９】
表示器１７は、外装ケース１９ｂの上面に備え、入力事項・推定エネルギー必要量等の結果等を表示する。
【００３０】
マイクロコンピュータ１８は、ＣＰＵ、制御および演算用プログラム（基礎代謝基準値・性別・年齢・体重に基づく基礎代謝量、体格指数、補正した基礎代謝量、推定エネルギー必要量、重量等を求めるためのもの）等を記憶するＲＯＭ、演算結果等を一時的に記憶するＲＡＭ、タイマー、ＩＯポート等を外装ケース１９ｂの内部に備え、各種の演算、表示等に関する制御等の処理を行う。
【００３１】
ここで、各種の演算とは、少なくとも次を含むものである。
a）荷重検出回路１５によるデジタル変換出力に基づいた対象物重量の演算。
b）基礎代謝基準値・性別・年齢・体重に基づく基礎代謝量ＢＭＲｓ（＝（性別及び年齢に対応する基礎代謝基準値）×（体重））の演算。ここで、性別及び年齢に対応する基礎代謝基準値とは、非特許文献１に記載されている厚生労働省策定によるデータ（図６）によるものである。
c）体格指数ＢＭＩ（＝体重（kg）÷身長（ｍ）÷身長（ｍ））の演算。
d）補正した基礎代謝量ＢＭＲ（＝ＢＭＲｓ＋ａ×ＢＭＩ＋ｂ、ただし、ａ、ｂ：図５に示す相関関係によって導き出された定数）の演算。
e）推定エネルギー必要量（＝ＢＭＲ×身体活動レベル）の演算。
【００３２】
入力スイッチ１３、外部記憶装置１６及びマイクロコンピュータ１８による構成は、基礎代謝量取得手段、体格指数取得手段、身体活動レベル取得手段及び個人的情報取得手段に該当する。また、マイクロコンピュータ１８による構成は、基礎代謝量補正演算式記憶手段、基礎代謝量補正手段、推定エネルギー必要量演算手段、基礎代謝基準値選定手段、基礎代謝量演算手段及び体格指数演算手段に該当する。
【００３３】
次に、図４に示すフローチャートを主に用いて、本発明に係わる推定エネルギー必要量演算装置の操作及び動作について説明する。
【００３４】
図４のフローチャートによる流れによると、まず、ON/OFFスイッチ１１が押されると、電力供給回路１２において、電気系統各部に電力を供給し、装置が作動状態となる。そして、マイクロコンピュータ１８において、利用者の個人的情報が過去に設定されているか否か（外部記憶装置１６に利用者の個人的情報を記憶しているか否か）の判定をする（ステップＳ１）。
【００３５】
ここで、個人的情報が過去に設定されていない場合には（ステップＳ１でNO）、表示器１７において、個人的情報（性別、年齢、身長、体重、身体活動レベル）についての入力画面を表示する。そして、入力スイッチ１３において、利用者の個人的情報が入力されると、外部記憶装置１６において、この入力された利用者の個人的情報を記憶する（ステップＳ２）。
【００３６】
このステップＳ２の後、又はステップＳ１で個人的情報が過去に設定されている場合（ステップＳ１でYES）には、マイクロコンピュータ１８において、外部記憶装置１６に記憶した利用者の個人的情報（性別、年齢）に対応する基礎代謝基準値を図６のデータから選び出し、この選び出した基礎代謝基準値に、外部記憶装置１６に記憶した利用者の個人的情報（体重）を乗じて基礎代謝基準値・性別・年齢・体重に基づく基礎代謝量を求める。
【００３７】
次いで、マイクロコンピュータ１８において、外部記憶装置１６に記憶した利用者の個人的情報（体重、身長）を、ＢＭＩ＝体重（kg）÷身長（ｍ）÷身長（ｍ）の式に代入して体格指数ＢＭＩを演算する。
【００３８】
次いで、マイクロコンピュータ１８において、先に演算した基礎代謝基準値・性別・年齢・体重に基づく基礎代謝量ＢＭＲｓと体格指数ＢＭＩとを、ＢＭＲ＝ＢＭＲｓ＋ａ×ＢＭＩ＋ｂの式に代入して補正した基礎代謝量ＢＭＲを演算する（ステップＳ３）。
【００３９】
続いて、マイクロコンピュータ１８において、外部記憶装置１６に記憶した利用者の個人的情報（身体活動レベル）と先に演算した補正した基礎代謝量ＢＭＲとを、推定エネルギー必要量＝ＢＭＲ×身体活動レベルの式に代入して推定エネルギー必要量を演算する（ステップＳ４）。
【００４０】
続いて、対象物（重量物）が載せ皿１９ａに載せられると、重量センサ１４おいて、対象物に基づく電圧を検出し、荷重検出回路１５において、この検出した電圧を増幅した後デジタル変換し、マイクロコンピュータ１８において、変換された出力に基づいて対象物重量を演算する（ステップＳ５）。
【００４１】
続いて、マイクロコンピュータ１８において、その他各種エネルギー量を演算し（ステップＳ６）、表示器１７において、推定エネルギー必要量、対象物重量、その他各種エネルギー量等を表示し（ステップＳ７）、一連の動作処理を終了する。
【産業上の利用可能性】
【００４２】
上述した実施例における推定エネルギー必要量演算装置は、載せ皿１９ａに対象物を載せた際の重量を測定できる形態としたが、本発明に係る推定エネルギー必要量演算装置は、載せ台に人が乗った際の体重を測定できる形態としても実施可能である。なお、この場合には、体重は、入力に代わって、測定によるものが、基礎代謝基準値・性別・年齢・体重に基づく基礎代謝量や体格指数を求めるための基礎として用いられることになる。
【００４３】
また、上述した実施例における推定エネルギー必要量演算装置は、重量センサー及び荷重検出回路を備え、載せ皿に載せた対象物の重量を測定できる形態としたが、本発明に係る推定エネルギー必要量演算装置は、重量センサー及び荷重検出回路を備えない形態であっても実施可能である。
【図面の簡単な説明】
【００４４】
【図１】推定エネルギー必要量演算装置の機能的構成を示すブロック図である。
【図２】推定エネルギー必要量演算装置の外観について示す外観図であり、（ａ）は上面図、（ｂ）は横面図である。
【図３】推定エネルギー必要量演算装置の構造的構成を示すブロック図である。
【図４】推定エネルギー必要量演算装置の操作及び動作処理の流れについて示すフローチャートである。
【図５】実際に測定した基礎代謝量と基礎代謝基準値、性別、年齢及び体重に基づく基礎代謝量との差と体格指数との相関関係を示すグラフであり、（ａ）は男性の場合のグラフ、（ｂ）は女性の場合のグラフである。
【図６】性別及び年齢に対応する基礎代謝基準値を示すデータ（厚生労働省策定）によるものである。
【符号の説明】
【００４５】
１  基礎代謝量取得手段
２  体格指数取得手段
３  基礎代謝量補正演算式記憶手段
４  基礎代謝量補正手段
５  身体活動レベル取得手段
６  推定エネルギー必要量演算手段
１１  ON/OFFスイッチ
１２  電力供給回路
１３  入力スイッチ
１３ａ  前後左右スイッチ
１３ｂ  戻るスイッチ
１３ｃ  決定スイッチ
１４  重量センサ
１５  荷重検出回路
１６  外部記憶装置
１７  表示器
１８  マイクロコンピュータ
１９  外体
１９ａ  載せ皿
１９ｂ  外装ケース
【図１】
0004664216.tif 000002
【図２】
0004664216.tif 000003
【図３】
0004664216.tif 000004
【図４】
0004664216.tif 000005
【図５】
0004664216.tif 000006
【図６】
0004664216.tif 000007